(57)【要約】  本発明は、薄層の積層体で被覆されている透明基材を含んでいる材料であって、薄層の積層体が、基材から出発して、銀に基づく３層の機能性金属性層、及び４層の誘電体被覆が交互になったものを順に含んでおり、４層の誘電体被覆が、基材から出発して、Ｍ１，Ｍ２、Ｍ３及びＭ４として言及され、以下であることを特徴とする材料に関する：  −  第一機能性層の厚みが、第２機能性層の厚み未満であり、かつ、第３機能性層の厚み未満であり、  −  誘電体被覆Ｍ１及びＭ２が、式：Ｅｏ２＜１．１Ｅｏ１を満たす、光学的厚みＥｏ１及びＥｏ２をそれぞれ有している。【選択図】なし【特許請求の範囲】
【請求項１】
薄層の積層体で被覆されている透明基材を有している材料であって、前記積層体が、前記基材から出発して、銀に基づく３層の機能性金属性層、及び４層の誘電体被覆が交互になったものを逐次的に有しており、銀に基づく前記３層の機能性金属性層が、前記基材から出発して、第１、第２及び第３機能性層として言及され、前記４層の誘電体被覆が、前記基材から出発して、Ｍ１，Ｍ２，Ｍ３及びＭ４として言及され、前記誘電体被覆が、それぞれ、少なくとも１層の誘電体層を有しており、そのようにして、前記機能性金属性層が、それぞれ、２層の誘電体被覆の間に配置されるようになっており、下記であることを特徴とする、材料：
−  前記第１機能性層の厚みが、前記第２機能性層の厚みよりも小さく、
−  前記第１機能性層の厚みが、前記第３機能性層の厚みよりも小さく、
−  前記誘電体被覆Ｍ１及びＭ２それぞれが、式：Ｅｏ２＜１．１Ｅｏ１を満たす光学的厚みＥｏ１及びＥｏ２を有している。
【請求項２】
前記第２機能性層の厚みに対する前記第３機能性金属性層の厚みの比が、０．９０と１．１０の間であり、これらの値を含んでいることを特徴とする、請求項１に記載の材料。
【請求項３】
前記３層の機能性金属性層が、下記の特徴を満たすことを特徴とする、請求項１又は２に記載の材料：
−  前記第１機能性金属性層の厚みが、６ｎｍと１２ｎｍ、
−  前記第２機能性金属性層の厚みが、１３ｎｍと２０ｎｍ、
−  前記第３機能性金属性層の厚みが、１３ｎｍと２０ｎｍ。
【請求項４】
前記積層体が、チタン、ニッケル、クロム及びニオブから選ばれる１又は複数の元素の金属に基づく又は金属合金に基づく金属性層、金属窒化物層、金属酸化物層、並びに金属酸窒化物層から選ばれる、例えばＴｉ，ＴｉＮ，ＴｉＯｘ，Ｎｂ，ＮｂＮ，Ｎｉ，ＮｉＮ，Ｃｒ，ＣｒＮ，ＮｉＣｒ又はＮｉＣｒＮ層の、機能性層に接触して配置されている少なくとも１層のブロッキング層をも有していることを特徴とする、請求項１〜３のいずれか一項に記載の材料。
【請求項５】
前記機能性層と接触しているすべての前記ブロッキング層の合計の厚みが、０．１ｎｍと２ｎｍの間であり、これらの値を含んでいることを特徴とする、請求項４に記載の材料。
【請求項６】
前記誘電体被覆が、下記の特徴を満たすことを特徴とする、請求項１〜５のいずれか一項に記載の材料：
−  前記第１誘電体被覆Ｍ１の前記光学的厚みが、８５〜１５０ｎｍ、
−  前記第２誘電体被覆Ｍ２の前記光学的厚みが、８０〜１５０ｎｍ、
−  前記第３誘電体被覆Ｍ３の前記光学的厚みが、１３５〜２２０ｎｍ、
−  前記第４誘電体被覆Ｍ４の前記光学的厚みが、６５〜１２０ｎｍ。
【請求項７】
ＳｉＯ２及びＡｌ２Ｏ３などの酸化物、窒化ケイ素Ｓｉ３Ｎ４及びＡｌＮ、並びに酸窒化物ＳｉＯｘＮｙ及びＡｌＯｘＮｙから選択されるケイ素及び／又はアルミニウム化合物に基づいており、バリア機能を有している誘電体層を、前記誘電体被覆のそれぞれが少なくとも１層有していることを特徴とする、請求項１〜６のいずれか一項に記載の材料。
【請求項８】
随意に例えばアルミニウムなどの少なくとも１種の他の元素を用いてドープされ、結晶性酸化物、特には酸化亜鉛に基づいており、安定化機能を有している誘電体層を、前記誘電体被覆のそれぞれが、少なくとも１層有していることを特徴とする請求項１〜７のいずれか一項に記載の材料。
【請求項９】
機能性層のそれぞれが、誘電体被覆の上にあり、誘電体被覆の上方層が、好ましくは酸化亜鉛に基づく、安定化機能を有する誘電体層であり、かつ／又は、機能性層のそれぞれが、誘電体被覆の下にあり、誘電体被覆の下方層が、好ましくは酸化亜鉛に基づく、安定化機能を有する誘電体層であることを特徴とする、請求項１〜８のいずれか一項に記載の材料。
【請求項１０】
前記材料が、積層体を有しており、この積層体が、前記透明基材から出発して定義され、下記を有していることを特徴とする、請求項１〜９のいずれか一項に記載の材料：
−  バリア機能を有する少なくとも１層の誘電体層、及び安定化機能を有する少なくとも１層の誘電体層を有している、第１誘電体被覆、
−  随意の、ブロッキング層、
−  第１機能性層、
−  随意の、ブロッキング層、
−  安定化機能を有する少なくとも１層の下方誘電体層、バリア機能を有する少なくとも１層の誘電体層、及び安定化機能を有する少なくとも１層の上方誘電体層を有している、第２誘電体被覆
−  随意の、ブロッキング層、
−  第２機能性層、
−  随意の、ブロッキング層、
−  安定化機能を有する少なくとも１層の下方誘電体層、バリア機能を有する少なくとも１層の誘電体層、及び安定化機能を有する少なくとも１層の上方誘電体層を有している、第３誘電体被覆、
−  随意の、ブロッキング層、
−  第３機能性層、
−  随意の、ブロッキング層、
−  安定化機能を有する少なくとも１層の誘電体層、バリア機能を有する少なくとも１層の誘電体層、及び随意の少なくとも１層の保護層を有している、第４誘電体被覆。
【請求項１１】
６０％未満の光透過率、及び／又は、外側面における２０．０％以上の光反射を示すことを特徴とする、請求項１〜１０のいずれか一項に記載の材料。
【請求項１２】
前記積層体の前記層が、マグネトロンスパッタリングによって積層される、請求項１〜１１のいずれか一項に記載の材料を得るための方法。
【請求項１３】
請求項１〜１１のいずれか一項に記載の材料を少なくとも１つ含んでいる、グレージング。
【請求項１４】
外側から来る入射光が、前記第１誘電体被覆を通過し、次いで前記第１機能性金属性層を通過するように、前記積層体が前記グレージングにおいて配置されていることを特徴とする請求項１３に記載のグレージング。
【請求項１５】
単層グレージング、積層グレージング、又は複層のグレージングの形態であり、特には二重グレージング若しくは三重グレージングであることを特徴とする、請求項１３又は１４に記載のグレージング。
【発明の詳細な説明】
【技術分野】
【０００１】
本発明は、太陽光放射及び／又は赤外線放射に作用することができるいくつかの機能性層を有している薄層の積層体で被覆されている透明な基材を有している、例えばグレージングなどの材料に関する。本発明はまた、これらの材料を有しているグレージングにも関し、また、そのような材料を、断熱及び／又は太陽光防護グレージングの製造のために使用することにも関する。
【０００２】
これらのグレージングを、建物及び車両の両方に備え付けることが意図されてよい。建物及び車両の乗客室においてグレージングを有している表面の大きさが拡大する一方であることを原動力として、特には、空気管理負荷の低減及び／若しくは過度の過熱の防止を目的として、これらのグレージングを建物及び車両の両方に備え付けることが意図されてよく、そのようなグレージングは、「太陽光制御」グレージングとして言及され、かつ／又は外部に散逸するエネルギー量を低減する目的で、これらのグレージングを建物及び車両の両方に備え付けることが意図されてよく、そのようなグレージングは、「低放射率」グレージングとして言及される。
【背景技術】
【０００３】
光透過率及びソーラーファクターの観点から所望される性能は、これらのグレージングが設置される国の気候に応じて、一定の範囲内において変化しうる。光透過率は、ぎらつき（ｇｌａｒｅ）を排除するのに十分な程度に低い必要があり、かつ、上述のグレージングによって区切られている空間の内部に透過する光の量が低減することによって、人工の光を使用することが必要になることのないように十分に高い必要がある。例えば、日照が高レベルである国では、およそ５０％の光透過率及び十分に低いソーラーファクター値を有するグレージングへの要求が大きい。
【発明の概要】
【０００４】
３層の機能性金属性層を有しており、機能性金属性層それぞれが２層の誘電体被覆の間に配置されている薄層の積層体で被覆された透明な基材を有しているグレージングが提案されており、それによって、十分な光透過率を保持しつつ、太陽光防護が改善される。これらの積層体は、一般に、スパッタリングによって、随意にマグネトロンスパッタリングによって行われる一連の堆積によって得られる。これらのグレージングは、以下のことを可能にするので、選択的であると表現される：
−  低ソーラーファクター（ＳＦ，ｇ）を有することにより、建物内部に透過してくる太陽光エネルギーの量を低減すること、
−  十分な光透過率を保証すること、
−  低放射率を有しており、それによって、長波長赤外放射による熱損失を低減すること。
【０００５】
本発明によると、
−  ソーラーファクター「ｇ」は、入射太陽エネルギーに対する、グレージングを通って空間に進入する総エネルギーの、パーセントでの比を意味するものと理解される、
−  選択性「ｓ」は、ソーラーファクターに対する光透過率の比ＴＬ／ｇを意味するものと理解される。
【０００６】
従来技術による材料によって、所望の範囲内の、光透過性、ソーラーファクター、及び放射率の値を得ることが可能となる。しかしながら、そのようなグレージングの美的外観および反射における特性は、完全に満足のいくものではなく、特には、以下の欠点を有している：
−  外部反射における非ニュートラル色、及び
−  外部反射が、過度に低レベルであること。
【０００７】
最後に、外部反射において光沢のある銀の外観を有するグレージングへの要求が、現在高い。
【０００８】
外側面での反射において、この光沢のある銀の外観を得ることを可能にする、現在市販されている材料は、以下を有している：
−  化学気相成長法（ＣＶＤ）によって堆積される積層体で被覆された基材、
−  銀に基づいていないが、例えばニオブに基づいている機能性層を有している、スパッタリングによって堆積される積層体で被覆されている基材。
【０００９】
これらの材料では、所望の光学的及びエネルギー性能を得ることができない。実際に、これらの材料が、低ソーラーファクター（ＳＦ又はｇ）、十分な光透過率、及び高選択性を同時に有することはない。
【００１０】
本発明の目的は、光沢のある銀の外観、及び非常に優れた太陽光制御特性の両方を有している材料を開発することである。したがって、本発明によると、良好な絶縁及び良好な視界を可能とするために光透過率を適切に保持しつつ、ソーラーファクターを最小限に抑えること、及び選択性を向上させることが追及される。
【００１１】
３層の機能性層を有している積層体は複雑であるため、太陽光制御性能に悪影響を及ぼさずにこれらの反射特性を向上させることは、困難となる。
【００１２】
したがって、以下を可能にするグレージングの開発が必要である：
−  ソーラーファクターを最小限に抑えること、
−  特にはプライバシーを保護するために、外側面での反射を増加させること（プライバシー効果）、
−  美的効果のために、反射において、光沢のある銀の外観を得ること、
−  良好な絶縁及び良好な視界を可能にするのに適した光透過率を保証すること。
【００１３】
驚くべきことに、我々は、３層の機能性層の厚みを最適化することによって、かつ、基材と第１機能性層との間に位置しており比較的厚みのある誘電体被覆を選択することによって、所望の特性を示すことができる材料が得られることを見いだした。光沢のある銀の外観、及び外側面での高反射が、特には得られうる。
【００１４】
本発明の解決策は、光学的な性能、熱性能、透明度及び美的外観の間の優れた折衷を意味する。
【００１５】
本発明の一の主題は、薄層の積層体で被覆された透明基材を有している材料であって、薄層の積層体が、基材から出発して、３層の銀に基づく機能性金属性層及び４層の誘電体被覆が交互になったものを逐次的に有しており、３層の銀に基づく機能性金属性層が、基材から出発して、第１、第２及び第３機能性層として言及され、４層の誘電体被覆が、基材から出発して、Ｍ１，Ｍ２，Ｍ３及びＭ４として言及され、各誘電体被覆が、少なくとも１層の誘電体層を含んでおり、それによって、各機能性金属性層が２層の誘電体被覆の間に配置されるようになっている、以下を特徴とする材料である：
−第１機能性層の厚みが、第２機能性層の厚みよりも小さく、
−第１機能性層の厚みが、第３機能性層の厚みよりも小さく、
−誘電体被覆Ｍ１及びＭ２それぞれが、式：Ｅｏ２＜１．１Ｅｏ１、好ましくはＥｏ２＜Ｅｏ１、を満たす光学的厚みＥｏ１及びＥｏ２を有している。
【００１６】
本発明は、以下にも関する：
−  本発明に係る材料を得るための方法、
−  本発明に係る少なくとも１個の材料を有しているグレージング、
−  本発明に係るグレージングの、建物又は車両用の太陽光制御グレージングとしての使用、
−  本発明に係るグレージングを有している、建物又は車両。
【００１７】
機能性層及び誘電体被覆の厚みを調節することによって、グレージングの透明度を制御することができ、それによって、約５０％のＴＬ値が得られ、この範囲は、日照が高い地域で使用することが意図されるグレージングに、非常に特には適している。しかしながら、本発明の主な有利な点は、外部反射において特には特定の色を有し、かつ外部反射値が十分に高い満足のいく高い視覚的外観を得ることが、太陽光防護性能に悪影響を及ぼして行われるわけではないという点である。
【図面の簡単な説明】
【００１８】
【図１】図１は、透明ガラス基材１０の上に堆積されている積層体の構造を図解している。
【発明を実施するための形態】
【００１９】
本記載の残りの部分で示される好ましい特徴は、本発明に係る方法に適用することができ、かつ、必要に応じて、生産物にも、すなわち本材料又は本材料を有しているグレージングにも適用することができる。
【００２０】
本記載に現れるすべての視感特性は、建物用ガラスで使用されるグレージングの視感及び太陽光特性の決定に関連する、欧州規格ＥＮ４１０で記述される原理及び方法に従って得られる。
【００２１】
慣用的に、屈折率は、５５０ｎｍの波長で計測される。光透過率ＴＬ及び光反射ＲＬ要素は、視野２°でＤ６５光源下で計測される。
【００２２】
別段の指示がない限り、光学的特徴及び熱特徴のすべての値及び値の範囲は、薄層の積層体を保持している６ｍｍ標準ソーダ石灰ガラス基材、９０％の割合のアルゴン及び１０％の割合の空気で充填された１６ｍｍの層間空間、並びに、被覆されておらずかつ４ｍｍの厚さの別のソーダ石灰ガラス基材からなる二重グレージング、に関して与えられる。被覆された基材は、薄層の積層体がグレージングの第２面上にあるように配置される。外部反射Ｒｅｘｔ．は、積層体を有している基材の側から観察され、一方で、積層体を有していない基材の側から観察される反射は、内部反射と呼ばれる。積層体を有していない、標準的なソーダ石灰ガラス基材の光透過率（ＴＬ）は、８９％よりも大きく、好ましくは９０％よりも大きい。
【００２３】
別段の指示がない限り、本文書で述べられていて他の仕様を有していない厚みは、物理的な、現実の、又は幾何学的な厚みであり、Ｅｐとして言及され、かつ、ナノメートルで表現される（かつ、光学的厚みではない）。光学的厚みＥｏは、対象となっている層の物理的厚みと、５５０ｎｍの波長におけるその屈折率（ｎ）との積として定義される：Ｅｏ＝ｎ＊Ｅｐ。屈折率は無次元の値なので、光学的厚みの単位は、物理的厚みに関して選択される単位であるとみなすことができる。
【００２４】
誘電体被覆が複数の誘電体層を有している場合には、誘電体被覆の光学的厚みは、誘電体被覆に含まれている種々の誘電体層の光学的厚みの合計に対応する。
【００２５】
本記載を通じて、本発明に係る基材は、水平に配置されているとみなされる。薄層の積層体は、基材の上に積層される。用語「上」及び「下」並びに「下方」及び「上方」の意味は、この方向に対して考えられる必要がある。特に明記されないかぎり、「上」及び「下」という表現は、２層の層及び／又は２層の被覆が、互いに接触して配置されていることを必ずしも意味しない。ある層が別の層又は別の被覆と「接触して」堆積されると特定される場合には、これは、これら２層の層の間（又は層と被覆の間）に、１又は複数の層が、挿入され得ないということを意味する。
【００２６】
本発明の意味の範囲内で、機能性層又は誘電体被覆についての「第１」、「第２」、「第３」及び「第４」という表示は、積層体を保持している基材から出発して定義され、かつ、同じ機能を有している層又は被覆に関して定義される。例えば、基材に最も近い機能性層が、第１の機能性層であり、基材から遠ざかって移動して次の層が、第２の機能性層などとなる。
【００２７】
本発明は、また、本発明に係る材料を有しているグレージングに関する。慣用的には、グレージングの面は、建物の外部から出発して、かつ、外部から、グレージングが備え付けられている乗客室又は部屋の内部に向かって、基材の面に番号をふることによって、表される。このことは、入射する太陽光が、複数の面を、面の番号が増えてゆく順番で通過することを意味する。
【００２８】
積層体は、好ましくは、グレージング内に配置され、それによって、外部から来る入射光が、第１誘電体被覆を通過して、その後に、第１機能性金属性層を通過するようにする。積層体は、基材の、グレージングの外側壁を規定している面上ではなく、この基材の内側面上に堆積される。積層体は、したがって、有利には、第２面上に配置され、慣用される通り、グレージングの第１面が、グレージングの最外面である。
【００２９】
このようなやり方でグレージングを組み立てることを選択することによって、比較的厚みのある第１誘電体被覆（Ｍ１）が、外部と、積層体のすべての銀に基づく機能性層との間に位置することとなる。驚くべきことに、この位置に配置されるそのような被覆によって、非常に優れたエネルギー性能を保持しつつ、かつ、例えば、積層体を形成している層の性質、厚み及び順序などの、積層体の他のパラメーターの実質的な変更を必要とすることなく、所望の特性の組み合わせを得ることが可能となり、特には、外側面において、高反射及び光沢のある銀の外観を得ることが可能となるようである。
【００３０】
好ましくは、積層体が、マグネトロンスパッタリングによって積層される。この有利な実施態様によると、積層体のすべての層が、マグネトロンスパッタリングによって積層される。
【００３１】
本発明は、また、本発明に係る材料を得るための方法にも関し、この方法では、積層体の層が、マグネトロンスパッタリングによって積層される。
【００３２】
銀に基づく機能性金属性層は、機能性層の重量に対して、少なくとも９５．０重量％の、好ましくは少なくとも９６．５重量％の、さらには少なくとも９８．０重量％の銀を含有している。好ましくは、銀に基づく機能性金属性層は、銀に基づく機能性金属性層の重量に対して、１．０重量％未満の銀以外の金属を含有している。
【００３３】
本発明の有利な実施態様によると、機能性金属性層は、以下の条件のうちの１又は複数を満たす：
−  ３層の機能性金属性層が、基材から出発して定義される第１、第２及び第３機能性金属性層に対応している、
−  第２機能性層の厚みに対する第３機能性金属性層の厚みの比が、０．９０と１．１０の間であり、これらの値を含んでおり、好ましくは、０．９５と１．０５の間である、かつ／又は、
−  第２機能性層の厚みに対する第３機能性金属性層の厚みの比が、１．０未満であり、好ましくは、０．９９未満である、かつ／又は
−  第１機能性金属性層の厚みが、より好ましくなる順で、６ｎｍと１２ｎｍの間、７ｎｍと１１ｎｍの間、８ｎｍと１０ｎｍの間である、かつ／又は、
−  第２機能性層の厚みが、１５ｎｍよりも大きい、かつ／又は、
−  第２機能性金属性層の厚みが、より好ましくなる順で、１３ｎｍと２０ｎｍの間、１４ｎｍと１８ｎｍの間、１５ｎｍと１７ｎｍの間である、かつ／又は、
−  第３機能性金属性層の厚みが、より好ましくなる順で、１３ｎｍと２０ｎｍの間、１４ｎｍと１８ｎｍの間、１５ｎｍと１７ｎｍの間である。
【００３４】
機能性金属性層に関するこれらの厚みの範囲は、二重グレージングにおける約５０％の光透過率、高い光反射、及び低ソーラーファクターに関して、最も良好な結果が得られる範囲である。このようにして、高い選択性が得られる。
【００３５】
グレージングは、６０．０％未満の光透過率を有しており、かつ／又は、２０．０％以上の、外側面における光反射を有している。
【００３６】
積層体は、また、機能性層と接触して配置される少なくとも１層のブロッキング層を有している。
【００３７】
ブロッキング層の役割は、慣用的に、上方反射防止被覆が堆積される間の、かつ、アニーリング、曲げ加工及び／又は強化タイプの任意の高温加熱処理の間の、起こり得る劣化から機能性層を保護することである。
【００３８】
ブロッキング層は、チタン、ニッケル、クロム及びニオブから選ばれる１又は複数の元素の、金属に基づく又は金属合金に基づく金属性層、金属窒化物層、金属酸化物層、及び金属酸窒化物層から選ばれ、例えばＴｉ，ＴｉＮ，ＴｉＯｘ，Ｎｂ，ＮｂＮ，Ｎｉ，ＮｉＮ，Ｃｒ，ＣｒＮ，ＮｉＣｒ又はＮｉＣｒＮである。これらのブロッキング層が金属性、窒化物又は酸窒化物の形態で堆積される場合には、これらの層は、それらの厚み及びそれらの周囲に存在する層の性質に応じて、例えば次の層を堆積する時に、又は下方に存在する層との接触における酸化によって、部分的な又は完全な酸化を受けてよい。
【００３９】
本発明の有利な実施態様によると、１又は複数のブロッキング層が、以下の条件のうちの１又は複数を満たす：
−  各機能性金属性層が、ブロッキング下方層及びブロッキング上方層から選択される少なくとも１層のブロッキング層と接触している、かつ／又は
−  各ブロッキング層の厚みが、少なくとも０．１ｎｍであり、好ましくは０．１と１．０ｎｍの間である、かつ／又は
−  機能性層と接触しているすべてのブロッキング層の合計の厚みが、０．１と２ｎｍの間であり、これらの値を含んでおり、好ましくは、０．３と１．５ｎｍの間であり、又はさらには０．５と１．０ｎｍの間である。
【００４０】
本発明の有利な実施態様によると、誘電体被覆は、厚みの観点で、以下の条件のうちの１又は複数を満たす：
−  第１誘電体被覆Ｍ１の光学的厚みが、より好ましくなる順で、８５〜１５０ｎｍ、１００〜１４５ｎｍ、１１０〜１４０ｎｍである、かつ／又は
−  第１誘電体被覆Ｍ１の物理的厚みが、より好ましくなる順で、４０〜８０ｎｍ、５０〜７５ｎｍ、５５〜７０ｎｍである、かつ／又は
−  第２誘電体被覆Ｍ２の光学的厚みが、より好ましくなる順で、８０〜１５０ｎｍ、９０〜１４５ｎｍ、１００〜１３５ｎｍである、かつ／又は
−  第２誘電体被覆Ｍ２の物理的厚みが、より好ましくなる順で、４０〜８０ｎｍ、５０〜７５ｎｍ、５５〜７０ｎｍ、である、かつ／又は
−  第３誘電体被覆Ｍ３の光学的厚みが、より好ましくなる順で、１３５〜２２０ｎｍ、１５０〜２１０ｎｍ、１６０〜２００ｎｍである、かつ／又は
−  第３誘電体被覆Ｍ３の物理的厚みが、より好ましくなる順で、６０〜１１０ｎｍ、７０〜１０５ｎｍ、８０〜１００ｎｍである、かつ／又は
−  第４誘電体被覆Ｍ４の光学的厚みが、より好ましくなる順で、６５〜１２０ｎｍ、７５〜１１０ｎｍ、８５〜１０５ｎｍである、かつ／又は
−  第４誘電体被覆Ｍ４の物理的厚みが、より好ましくなる順で、３０〜６０ｎｍ、３５〜５５ｎｍ、４０〜５０ｎｍである。
【００４１】
本発明の有利な実施態様によると、誘電体被覆は、以下の条件のうちの１又は複数を満たす：
−  誘電体被覆が、ケイ素、チタン、ジルコニウム、アルミニウム、スズ、亜鉛から選択される１若しくは複数の元素の酸化物若しくは窒化物に基づく少なくとも１層の誘電体膜を有している、かつ／又は
−  少なくとも１層の誘電体被覆が、バリア機能を有する少なくとも１層の誘電体層を有している、かつ／又は
−  各誘電体被覆が、バリア機能を有する少なくとも１層の誘電体層を有している、かつ／又は
−  バリア機能を有する誘電体層が、ＳｉＯ２及びＡｌ２Ｏ３などの酸化物、窒化ケイ素Ｓｉ３Ｎ４及びＡｌＮ、並びに酸窒化物ＳｉＯｘＮｙ及びＡｌＯｘＮｙから選択されるケイ素及び／若しくはアルミニウム化合物に基づいている、かつ／又は
−  バリア機能を有する誘電体層が、例えばアルミニウム、ハフニウム及びジルコニウムなどの少なくとも１種の他の元素を随意に含有している、ケイ素及び／若しくはアルミニウム化合物に基づいている、かつ／又は
−  少なくとも１層の誘電体被覆が、安定化機能を有する少なくとも１層の誘電体層を有している、かつ／又は
−  各誘電体被覆が、安定化機能を有する少なくとも１層の誘電体層を有している、かつ／又は
−  安定化機能を有する誘電体層が、好ましくは、酸化亜鉛、酸化スズ、酸化ジルコニウム若しくはこれらのうちの２以上の混合物から選ばれる酸化物に基づいている、かつ／又は
−  安定化機能を有する誘電体層が、好ましくは結晶性酸化物に基づいており、特には、酸化亜鉛に基づいており、随意に、アルミニウムなどの少なくとも１種の他の元素を用いてドープされている、かつ／又は
−  各機能性層が、誘電体被覆の上にあり、誘電体被覆の上方層が、好ましくは酸化亜鉛に基づく、安定化機能を有する誘電体層であり、かつ／若しくは、各機能性層が、誘電体被覆の下にあり、誘電体被覆の下方層が、好ましくは酸化亜鉛に基づく、安定化機能を有する誘電体層である。
【００４２】
好ましくは、各誘電体被覆は、１又は複数の誘電体層のみからなる。好ましくは、したがって、吸収性層は、誘電体被覆には存在せず、それによって、光透過率が減少しない。
【００４３】
本発明の積層体は、バリア機能を有する誘電体層を有してよい。用語「バリア機能を有する誘電体層」は、周囲大気又は透明基材由来の酸素及び水が、高温で機能性層の方向へ拡散することに対するバリアを形成することができる材料でできている層を意味するものと理解される。バリア機能を有する誘電体層の構成材料は、したがって、光学的な特性の変更を引き起こしうる高温での化学的な又は構造的な改変を受けてはならない。バリア機能を有する層又は複数の層は、好ましくは、また、機能性層の構成材料に対するバリアを形成することができる材料から選択される。積層体は、このようにして、バリア機能を有する誘電体層があることで、過剰に大きな光学的変化なく、アニーリング、強化又は曲げ加工タイプの加熱処理を受けることができる。
【００４４】
本発明の積層体は、安定化機能を有する誘電体層を含んでよい。本発明の意味の範囲内で、「安定化」は、層の性質が選択されて、それによって、機能性層とこの層の間の接触面が安定化することを意味する。この安定化によって、機能性層を囲む層への機能性層の接着を補強する結果となり、したがって、機能性層の構成材料の移動に対抗することとなる。
【００４５】
安定化機能を有する１又は複数の誘電体層は、機能性層と直接接触してよく、又はブロッキング層によって離されていてよい。
【００４６】
好ましくは、機能性層の下に位置する各誘電体被覆の最後の誘電体層が、安定化機能を有する誘電体層である。これはなぜならば、機能性層の下に、例えば酸化亜鉛に基づく、安定化機能を有する層を有していることが有利だからあり、この層によって、銀に基づく機能性層の接着及び結晶化が促進され、高温におけるその質及びその安定性が向上するからである。
【００４７】
機能性層の上に、例えば酸化亜鉛に基づく、安定化機能を有する層が存在することもまた、有利であり、それによって、機能性層の接着が増強され、かつ、基材とは反対側の積層体の側からの拡散に対して最適に対抗する。
【００４８】
したがって、安定化機能を有する１又は複数の誘電体層が、少なくとも１層の機能性層又は各機能性層の上及び／又は下に、それらと直接接触して、又はブロッキング層によって離されて、存在してよい。
【００４９】
有利には、バリア機能を有する各誘電体層が、安定化機能を有する少なくとも１層の誘電体層によって、機能性層から離されている。
【００５０】
安定化機能を有するこの誘電体層は、少なくとも４ｎｍの厚みを有してよく、特には、４ｎｍと１０ｎｍの間、さらには８〜１０ｎｍの厚みを有してよい。
【００５１】
薄層の積層体は、随意の、保護層を有してよい。保護層は、好ましくは、積層体の最後の層であり、すなわち、積層体で被覆された基材から最も離れたところにある層である。これらの上方保護層は、第４誘電体被覆に含まれていると考えることができる。一般にこれらの層は、２ｎｍと１０ｎｍの間の厚みを有し、好ましくは２ｎｍと５ｎｍの間の厚みを有する。この保護層は、チタン、ジルコニウム、ハフニウム、亜鉛及び／又はスズの層から選択されてよく、この又はこれらの金属は、金属性、酸化物又は窒化物の形態である。
【００５２】
保護層は、例えば、酸化チタン層、亜鉛スズ酸化物層、又はチタンジルコニウム酸化物層から選ばれてよい。
【００５３】
特に有利な一の実施態様は、透明基材から出発して定義され以下を有している積層体で被覆された基材に関する：
−  バリア機能を有する少なくとも１層の誘電体層及び安定化機能を有する少なくとも１層の誘電体層を有している第１誘電体被覆、
−  随意の、ブロッキング層、
−  第１機能性層、
−  随意の、ブロッキング層、
−  安定化機能を有する少なくとも１層の下方誘電体層、バリア機能を有する少なくとも１層の誘電体層、及び安定化機能を有する少なくとも１層の上方誘電体層を有している第２誘電体被覆、
−  随意の、ブロッキング層、
−  第２機能性層、
−  随意の、ブロッキング層、
−  安定化機能を有する少なくとも１層の下方誘電体層、バリア機能を有する少なくとも１層の誘電体層、及び安定化機能を有する少なくとも１層の上方誘電体層を有している第３誘電体被覆、
−  随意の、ブロッキング層、
−  第３機能性層、
−  随意の、ブロッキング層、
−  安定化機能を有する少なくとも１層の誘電体層、及びバリア機能を有する少なくとも１層の誘電体層、及び随意の１層の保護層を有している第４誘電体被覆。
【００５４】
本発明に係る透明基材は、好ましくは、無機剛性材料製であり、例えばガラス製であり、又は、ポリマーに基づいている（若しくはポリマーでできている）有機材料製である。
【００５５】
本発明に係る有機透明基材は、また、剛性又は可撓性のポリマー製であってもよい。本発明によれば適しているポリマーの例としては、特には以下が挙げられる：
−  ポリエチレン
−  ポリエステル、例えば、ポリエチレンテレフタレート（ＰＥＴ）、ポリブチレンテレフタレート（ＰＢＴ）、ポリエチレンナフタレート（ＰＥＮ）；
−  ポリアクリレート、例えば、ポリメチルメタクリレート（ＰＭＭＡ）；
−  ポリカーボネート；
−  ポリウレタン；
−  ポリアミド；
−  ポリイミド；
−  フルオロポリマー、例えば、エチレンテトラフルオロエチレン（ＥＴＦＥ）、ポリビニリデンフルオリド（ＰＶＤＦ）、ポリクロロトリフルオロエチレン（ＰＣＴＦＥ）、エチレンクロロトリフルオロエチレン（ＥＣＴＦＥ）、フッ素化エチレンプロピレン（ＦＥＰ）コポリマーなどの、フルオロエステル；
−  光架橋性及び／又は光重合性樹脂、例えば、チオレン（ｔｈｉｏｌｅｎｅ）、ポリウレタン、ウレタンアクリレート、及びポリエステルアクリレート樹脂；並びに
−  ポリチオウレタン。
【００５６】
基材は、好ましくは、ガラス板又はガラスセラミック板である。
【００５７】
基材は、好ましくは透明であり、無色であり（その場合には、クリアガラス若しくは超クリアガラスである）又は着色されており、例えば青色、灰色若しくはブロンズ色に着色されている。ガラスは、好ましくは、ソーダ石灰シリカタイプであるが、しかしながら、ホウケイ酸又はアルミノホウケイ酸タイプのガラスでできていてもよい。
【００５８】
基材は、有利には、少なくとも１つの寸法が、１ｍ以上又はさらには２ｍ以上さらには３ｍ以上である。基材の厚みは、一般には、０．５ｍｍと１９ｍｍの間で変化し、好ましくは、０．７ｍｍと９ｍｍの間で変化し、特には２ｍｍと８ｍｍの間で変化し、又はさらには４ｍｍと６ｍｍの間で変化する。基材は、平坦であってよく又は湾曲していてよく、又はさらには可撓性であってよい。
【００５９】
材料は、すなわち積層体で被覆された基材は、高温加熱処理を受けてよく、例えばレーザー若しくはフレームアニーリングなどのフラッシュアニーリングなどのアニーリング、強化及び／又は曲げ加工などを受けてよい。加熱処理の温度は４００℃よりも大きく、好ましくは、４５０℃よりも大きく、さらには、５００℃よりも大きい。積層体で被覆された基材は、したがって、湾曲していてよく及び／又は強化されていてよい。
【００６０】
本発明のグレージングは、単層グレージング、積層グレージング、又は複合グレージングの形態であってよく、特には二重グレージング若しくは三重グレージングであってよい。
【００６１】
単層グレージング又は複合グレージングの場合には、積層体は、好ましくは、第２面上に堆積される。すなわち、積層体は、グレージングの外側壁を規定する基材上にあり、より特定的には、この基材の内側面上にある。
【００６２】
単層グレージングは、２つの面を有している；第１面は、建物の外部にあり、したがって、グレージングの外側壁を構成しており、第２面は、建物の内部にあり、したがって、グレージングの内側壁を構成している。
【００６３】
複合グレージングは、距離を開けて保持されている少なくとも２個の基材を有しており、そのようにして、絶縁性気体で充填された空洞が区切られている。本発明に係る材料は、非常に特には、強化型断熱（ＥＴＩ）を有する二重グレージングで使用される場合に適している。
【００６４】
二重グレージングは、４つの面を有している；第１面は、建物の外部にあり、したがって、グレージングの外側壁を構成しており、第４面は、建物の内部にあり、したがって、グレージングの内側壁を構成しており、第２面及び第３面は、二重グレージングの内部にある。
【００６５】
同様に、三重グレージングは、６つの面を有している；第１面は、建物の外部にあり（グレージングの外側壁であり）、第６面は、建物の内部にあり（グレージングの内側壁であり）、かつ第２面〜第５面は、三重グレージングの内部にある。
【００６６】
積層グレージングは、第１基材／１又は複数のシート／第２基材タイプの構造を少なくとも１つ有している。薄層の積層体は、基材のうちの１個の、１つの面以上の面上に配置される。積層体は、好ましくはポリマーのシートであるシートとは接触せずに、第２基材の面上にあってよい。この実施態様は、積層グレージングが、第３基材を有する二重グレージングとして組み立てられる場合に、有利である。
【００６７】
本発明に係るグレージングは、単層グレージングとして使用され、又は二重グレージングタイプの複合グレージングにおいて使用され、外部反射では、青色又は青〜緑（主要な波長の値は、おおよそ４７０〜５００ナノメートルである）の範囲内の、ニュートラルで、好ましく、かつ落ち着いた色を有している。さらには、この視覚的外観は、グレージングが観察される（垂直入射及び角度のある）入射角に係わらず、実際的に変化しないままである。このことが意味するのは、色又は外観の均一性が実質的に欠如しているとの印象を観察者が抱くことはないということである。
【００６８】
用語「青〜緑の色」は、本発明の意味の範囲内で、Ｌ＊ａ＊ｂ＊色計測系において、ａ＊が−１０．０と０．０の間であり、好ましくは−５．０と０．０の間であり、かつ、ｂ＊が−１０．０と０．０の間であり、好ましくは−５．０と０．０の間であることを意味するものと理解されるべきである。
【００６９】
本発明のグレージングは、Ｌ＊ａ＊ｂ＊色計測系で、外側面における反射において、色を有している：
−  ａ＊は、−５．０と０．０の間であり、好ましくは、−４．０と０．０であり、かつ／又は
−  ｂ＊は、−６．０と０．０の間であり、好ましくは、−５．０と−１．０の間である。
【００７０】
本発明のグレージングは、透過において、Ｌ＊ａ＊ｂ＊色計測系で、ａ＊が−６．０と０．０の間、好ましくはａ＊が−５．０と０．０の間の色を有する。
【００７１】
有利な実施態様によると、第２面上に配置された積層体を有している二重グレージングの形態での本発明のグレージングによって、特には、以下の性能を達成することが可能である：
−  ２７．５％以下のソーラーファクターｇ、好ましくは２５．０％以下のソーラーファクターｇ、及び／又は、
−  ６０．０％未満の光透過率、好ましくは４０．０％と６０．０％の間の、さらには４５．０％と５５．０％の間の光透過率、及び／又は、
−  好ましくは、少なくとも１．８の、少なくとも１．９の、さらには少なくとも２．０の、高選択性、及び／又は、
−  低放射率、特には１％未満の低放射率、及び／又は、
−  より好ましくなる順番で、２０．０％以上の、２５．０％以上の、２７．５％以上の、さらには３０．０％以上の、外側面上での光反射、及び／又は、
−  外部反射におけるニュートラルな色。
【００７２】
本発明の有利な詳細及び特徴は、添付の図面を用いて説明される、以下の非制限的な例示によって表されるであろう。
【００７３】
様々な構成要素間での比率は、順守されてはおらず、そうすることで、図の理解を容易にしている。
【００７４】
図１は、３層の機能性金属性層４０、８０、１２０を有する積層体の構造を図解しており、この構造は、透明ガラス基材１０の上に堆積されている。各機能性層４０，８０，１２０は、以下のようにして、誘電体被覆２０，６０，１００、１４０の２層の間に配置されている：
−  第１機能性層４０は、基材から出発して、誘電体被覆２０と６０の間に配置されている、
−  第２機能性層８０は、誘電体被覆６０と１００の間に配置されている、
−  第３機能性層１２０は、誘電体被覆１００と１４０の間に配置されている。
【００７５】
これらの誘電体被覆２０，６０，１００，１４０は、それぞれ、誘電体層２４，２８；６２，６４，６８；１０２，１０４，１０８；１４２，１４４を少なくとも１層有している。
【００７６】
積層体は、また、以下を有していてよい：
−  機能性層と接触して配置される、ブロッキング下方層３０，７０及び１１０（図示されていない）、
−  機能性層と接触して配置される、ブロッキング上方層５０，９０及び１３０、
−  保護層１６０（図示されていない）。
【実施例】
【００７７】
［基材の調製：積層体、積層条件及び加熱処理］
薄層の、以下で定義される積層体は、６ｍｍの厚みを有する透明なソーダ石灰ガラス製の基材上に堆積される。
【００７８】
本発明の例示では：
−  機能性層は、銀（Ａｇ）の層であり、
−  ブロッキング層は、ニッケルクロム合金（ＮｉＣｒ）製の金属性層であり、
−  バリア層は、アルミニウムでドープされた窒化ケイ素（Ｓｉ３Ｎ４：Ａｌ）に基づいており、
−  安定化層は、アルミニウムでドープされた、酸化亜鉛（ＺｎＯ）製である。
【００７９】
スパッタリング（マグネトロンスパッタリング）によって堆積された層の、堆積のための条件を、表１にまとめる。
【００８０】
【表１】
2018519239.tif 000002
【００８１】
表２では、積層体を形成している各層又は各被覆に関する材料及び（別段の指示がない限り）ナノメートルでの物理的厚みを、積層体を保持している基材（表の底にある最後の行）に対するそれらの位置に応じて一覧表にした。「参照」番号は、図１からの符号に対応している。
【００８２】
【表２】
2018519239.tif 000003
【００８３】
機能性層４０，８０，１２０の下にある誘電体被覆２０，６０，１００それぞれは、結晶性酸化亜鉛に基づく最終安定化層２８，６８，１０８を有しており、これら安定化層は、そのすぐ上に堆積された機能性層４０，８０，１２０と接触している。
【００８４】
機能性層４０，８０，１２０の上にある誘電体被覆６０，１００，１４０それぞれは、結晶性酸化亜鉛に基づく一次安定化層６２，１０２、１４２を有しており、これら安定化層は、そのすぐ上に堆積された機能性層４０，８０，１２０と接触している。
【００８５】
誘電体被覆２０，６０，１００，１４０それぞれは、ここではＳｉ３Ｎ４として言及される、アルミニウムでドープされた窒化ケイ素に基づく、バリア機能を有する誘電体層２４，６４，１０４，１４４を有している。
【００８６】
機能性金属性層４０，８０，１２０それぞれは、ブロッキング層５０，９０及び１３０の下方に接触して存在する。
【００８７】
機能性金属性層４０，８０，１２０それぞれは、ブロッキング層３０，７０及び１１０（図１において図示されない）の上にあってもよい。
【００８８】
積層体はまた、チタンジルコニウム酸化物製の保護層１６０（図１では示されていない）も有している。
【００８９】
表３では、機能性層及び誘電体被覆の厚みに関連する特性をまとめている。
【００９０】
【表３】
2018519239.tif 000004
【００９１】
［II．「太陽光制御」及び測色性能］
表４は、グレージングが、６／１６／４構造：６ｍｍのガラス／９０％がアルゴンで充填された１６ｍｍの層間空間／４ｍｍのガラス、を有している二重グレージングの一部である場合に計測される主な光学的特性を一覧表にしている。積層体は、第２面上に配置されている（グレージングの第１面は、慣用されるように、グレージングの最外面である）。
【００９２】
これらの二重グレージングについて：
−  ＴＬは、以下を示している：Ｄ６５光源に従って２°観察者で計測される、％での、可視領域での、光透過率；
−  ａ＊Ｔ及びｂ＊Ｔは、Ｄ６５光源に従って２°観察者で計測され、かつグレージングとは垂直方向で計測される、Ｌ＊ａ＊ｂ＊システムでの、透過のａ＊及びｂ＊色を示している；
−  ＲＬｅｘｔは、以下を示している：最外面である第１面の側で、Ｄ６５光源に従って２°観察者で計測される、％での、可視領域での、光反射；
−  ａ＊Ｒｅｘｔ及びｂ＊Ｒｅｘｔは、最外面の側で、Ｄ６５光源に従って２°観察者で計測され、かつグレージングに垂直な方向でそのように計測される、Ｌ＊ａ＊ｂ＊システムでの、反射のａ＊及びｂ＊色を示している、
−  ＲＬｉｎｔは、内側面である第４面の側で、Ｄ６５光源に従って２°観察者で計測される、％での、可視領域での、光反射を示している。
−  ａ＊Ｒｉｎｔ及びｂ＊Ｒｉｎｔは、内側面の側で、Ｄ６５光源に従って２°観察者で計測され、かつグレージングに垂直な方向でそのように計測される、Ｌ＊ａ＊ｂ＊システムでの、反射のａ＊及びｂ＊色を示している。
【００９３】
斜めでの測色値ａ＊ｇ６０°及びｂ＊ｇ６０°を、単一のグレージングにおいて、６０°の入射下で計測する。これによって、斜めでの色のニュートラル性が考慮される。
【００９４】
【表４】
2018519239.tif 000005
【００９５】
本発明によれば、外側面での反射において光沢のある銀色の外観、約５０％の光透過率、高選択性、高光反射率、及び低ソーラーファクターを有する、３層の機能性金属性層を有している積層体を有しているグレージングを作り出すことが可能である。
【００９６】
本発明に係る例示は、すべて、透過において、好ましくかつ落ち着いた色を呈しており、好ましくは、青又は青〜緑の範囲の色を有している。
【００９７】
本発明に係るグレージングは、２５％以下のソーラーファクター及び１．８０よりも大きい選択性の両方を有している。これらのグレージングは、追加的には、少なくとも２５％を超える外部反射を示し、又はさらには、２７．５％未満の外部反射を示す。これらのグレージングは、また、透過において、ニュートラル色を呈する。
【図１】
2018519239.tif 000006
【国際調査報告】
2018519239.tif 000007
2018519239.tif 000008
2018519239.tif 000009
2018519239.tif 000010